(57)【特許請求の範囲】
【請求項１】
計測表示器の取付口に挿入されて取り付けられたバイオセンサを該計測表示器から離脱させることができるセンサ着脱構造であり、
前記バイオセンサを押し出す方向に又は逆方向にスライド可能であり、スライド方向に延びる溝と該溝に連続する係合孔とを有するスライド部材と、
前記スライド部材が前記バイオセンサを押し出す方向に、該スライド部材に付勢力を付加する付勢手段と、
弾性力により前記スライド部材の係合孔に挿入されるように設けられた係止部材から成り、前記付勢力に抗して該スライド部材のスライドを規制する規制手段と、
脚部を有し、前記計測表示器の外部から押圧力を付加されることにより、該脚部が、前記係合孔に挿入されている前記係止部材を、該係止部材の弾性力に抗して、該係合孔から押し出して、前記規制手段による規制を解除する押し釦と、を含み、
前記押し釦が前記規制手段による規制を解除することにより、前記スライド部材の溝が、前記係止部材を押している前記脚部に対して摺動し、該スライド部材が前記付勢力に従ってスライドしながら、前記バイオセンサを押し出すセンサ着脱構造。
【請求項２】
スライド方向に延びる前記溝と、該溝に連続する係合孔とが、Ｔ形孔を構成する請求項１に記載するセンサ着脱構造。
【請求項３】
前記請求項１又は２のいずれかに記載するセンサ着脱構造を備えた計測表示器。
【発明の詳細な説明】
【技術分野】
【０００１】
本発明は、バイオセンサを取り付けた計測表示器から容易にバイオセンサを離脱させることのできるセンサ着脱構造及び計測表示器に関する。
【０００２】
従来から、バイオセンサによる血糖値等の計測値を算出して表示する計測表示器が使用されている。そして、血糖値等の計測後にはバイオセンサを取り外して廃棄する必要があるが、この時にバイオセンサに手が接触して感染症になるのを防止するためのセンサ排出機構を備えた測定装置が案出されている（例えば、特許文献１参照。）。このセンサ排出機構によれば、指でスライド部材をスライドさせることによって、バイオセンサに手で触れることなく、バイオセンサを押し出すことができる。
【０００３】
しかし、指でスライド部材をスライドさせるのは手の不自由な人にとっては困難であった。また、スライド部材が滑らかに摺動しない場合には、指でスライドさせるための多大な力を必要とした。
【０００４】
【特許文献１】特許第３９７７６１９号公報
【発明の開示】
【発明が解決しようとする課題】
【０００５】
そこで、本発明者は、このような課題の原因を究明してこのような課題を解決するべく、鋭意研究を重ねた結果、本発明に至ったのである。
【０００６】
すなわち、本発明は、手の不自由な人であっても容易にバイオセンサを離脱できるセンサ着脱構造及び計測表示器を提供することを目的とする。
【課題を解決するための手段】
【０００７】
本発明のセンサ着脱構造は、計測表示器の取付口に挿入されて取り付けられたバイオセンサを該計測表示器から離脱させることができるセンサ着脱構造であり、
前記バイオセンサを押し出す方向に又は逆方向にスライド可能であり、スライド方向に延びる溝と該溝に連続する係合孔とを有するスライド部材と、
前記スライド部材が前記バイオセンサを押し出す方向に、該スライド部材に付勢力を付加する付勢手段と、
弾性力により前記スライド部材の係合孔に挿入されるように設けられた係止部材から成り、前記付勢力に抗して該スライド部材のスライドを規制する規制手段と、
脚部を有し、前記計測表示器の外部から押圧力を付加されることにより、該脚部が、前記係合孔に挿入されている前記係止部材を、該係止部材の弾性力に抗して、該係合孔から押し出して、前記規制手段による規制を解除する押し釦と、を含み、
前記押し釦が前記規制手段による規制を解除することにより、前記スライド部材の溝が、前記係止部材を押している前記脚部に対して摺動し、該スライド部材が前記付勢力に従ってスライドしながら、前記バイオセンサを押し出すことを特徴とする。
【０００８】
本発明のセンサ着脱構造は、前記センサ着脱構造において、スライド方向に延びる前記溝と、該溝に連続する係合孔とが、Ｔ形孔を構成することを特徴とする。
【０００９】
また、本発明のセンサ着脱構造は、前記センサ着脱構造において、前記規制手段が、前記スライド部材の孔に挿入される係止部材から成ることを特徴とする。
【００１０】
また、本発明のセンサ着脱構造は、前記センサ着脱構造において、前記解除手段が、前記計測表示器の外部から押圧できる押し釦から成ることを特徴とする。
【００１１】
また、本発明のセンサ着脱構造は、前記センサ着脱構造において、前記規制手段が、弾性力により前記スライド部材の孔に挿入されるように設けられた係止部材から成り、前記解除手段が、前記計測表示器の外部から押圧できる押し釦から成り、前記押し釦は、前記計測表示器の外部から押圧力を付加されることにより前記弾性力に抗して前記係止部材を前記孔から押し出し、該押圧力が付加されない場合には該弾性力によって該係止部材が前記スライド部材の孔に挿入される動作に連動して押し戻される、ことを特徴とする。
【００１２】
また、本発明の計測表示器は、前記センサ着脱構造を備えたことを特徴とする。
【発明の効果】
【００１３】
本発明のセンサ着脱構造及び計測表示器によれば、解除手段が規制手段による規制を解除することにより、手でバイオセンサに触れることなく、バイオセンサを計測表示器から離脱させて廃棄することができる。このため、手の不自由な人であっても、容易にバイオセンサを離脱させて廃棄できる。特に、解除手段が押し釦である場合には、手で押し釦を押すことのみによって、バイオセンサを容易に離脱させることができる。
【００１４】
また、スライド部材とともにスライドさせられながら取付口に挿入されて取り付けられる場合には、バイオセンサの離脱構造が取付構造を兼用できるため、コンパクトに構成できる。また、規制手段が係止部材である場合には、係止部材をスライド部材の孔に挿入させて確実にスライドを規制できる。
【発明を実施するための最良の形態】
【００１５】
次に、本発明に係るセンサ着脱構造及び計測表示器について、図面に基づいて詳しく説明する。図１〜図４において、符号１０は本発明のセンサ着脱構造を、符号１２は本発明の計測表示器を示す。
【００１６】
本発明のセンサ着脱構造１０は、計測表示器１２の取付口１４に挿入されて取り付けられたバイオセンサ１６を計測表示器１２から離脱させることができるセンサ着脱構造である。このセンサ着脱構造１０は、バイオセンサ１６を押し出す方向にスライド可能なスライド部材１８と、スライド部材１８がバイオセンサ１６を押し出す方向に、スライド部材１８に付勢力を付加するバネ（付勢手段）２０と、この付勢力に抗してスライド部材１８のスライドを規制する係止部材（規制手段）２２と、係止部材２２による規制を解除する押し釦（解除手段）２４と、を含み、押し釦２４が係止部材２２による規制を解除することにより、スライド部材１８がバネ２０の付勢力に従ってスライドしながらバイオセンサ１６を押し出すように構成されている。
【００１７】
本発明の計測表示器１２は、このようなセンサ着脱構造１０を備え、取付口１４にバイオセンサ１６を取り付けて血糖値等を測定し、表示部２６に表示できる。バイオセンサ１６は、押し出す方向と逆方向に付勢力に抗してスライド部材１８とともにスライドさせられながら、取付口１４に挿入されて取り付けられる。
【００１８】
スライド部材１８は、本体２８に固定された基板３０及びハウジング３２に対して、バイオセンサ１６を押し出す方向に又は逆方向に摺動可能なように備えられている。スライド部材１８には、ハウジング３２と接触するガイド３４、及び基板３０に固定されたピン３６と接触する溝３８が設けられ、スライド部材１８のバイオセンサ１６を押し出す方向に対して垂直方向（図３におけるＹ方向）の運動は、ガイド３４及び溝３８により規制される。また、押し釦２４の脚部４０に対して摺動可能な溝４２と、この溝４２に連続し係止部材２２の爪部４４が挿入可能な係合孔４６とから成るＴ形孔４８が備えられている。
【００１９】
バネ２０は、基板３０上に固定された留め具５０とスライド部材１８との間に設けられている。係止部材２２は、弾性部材から成り、先端の爪部４４と反対側の根元が基板３０の裏側に固定されている。係止部材２２は、負荷を与えない時には、真直な状態となって、係止部材２２の先端の爪部４４が、基板３０の孔３１を介して、スライド部材１８の係合孔４６に挿入可能である。一方で、係止部材２２は、押し釦２４の脚部４０によって上から押さえられることにより、下方向へ弾性的に湾曲して、爪部４４が係合孔４６から解除され、スライド部材１８がバネ２０の付勢力によってバイオセンサ１６を押し出す方向にスライドする。
【００２０】
押し釦２４は、バネ５２の付勢力によって通常はＴ形孔４８の上方に位置する一方で、計測表示器１２の外部から押圧されることにより、係合孔４６内に脚部４０が挿入されて係止部材２２の爪部４４を係合孔４６から押し出すように構成されている。すなわち、押し釦２４は、計測表示器１２の外部から押圧力を付加されることにより係止部材２２の弾性力に抗して係止部材２２を係合孔４６から押し出し、押圧力が付加されない場合には係止部材２２の弾性力によって係止部材２２が係合孔４６に挿入される動作に連動して押し戻される。係止部材２２の弾性力を利用して押し釦２４を押し戻す構成であるため、押し釦２４を押し戻すための付勢手段を設ける必要がない。脚部４０が係止部材２２の爪部４４を係合孔４６から押し出すことにより、スライド部材１８がバネ２０の付勢力によってバイオセンサ１６を押し出す方向にスライドする時、脚部４０に対して溝４２が摺動する。
【００２１】
このようなセンサ着脱構造１０及び計測表示器１２にバイオセンサ１６を取り付けて血糖値を測定する場合、まず、図１〜図３に示すように、バイオセンサ１６を取付口１４に挿入する。取付口１４に挿入されたバイオセンサ１６は、図２及び図３に示すように、ハウジング３２の底面５４に沿って摺動した後にスライド部材１８のガイド３４に接触してガイド３４を押圧する。この時、図２に示すように、スライド部材１８が係止部材２２の爪部４４を押圧している。ガイド３４が押圧されることにより、バイオセンサ１６及びスライド部材１８が基板３０及びハウジング３２に沿って摺動し、図４（ａ）に示すように、バイオセンサ１６のセンサ電極５６が計測表示器１２の電極端子５８に接触する。バイオセンサ１６のセンサ電極５６が計測表示器１２の電極端子５８に接触した時、係止部材２２の爪部４４が、孔３１を介して、スライド部材１８の係合孔４６に挿入されることにより、バイオセンサ１６及びスライド部材１８の動きが規制される。また、電極端子５８によってバイオセンサ１６が押圧されることによっても、バイオセンサ１６及びスライド部材１８の動きが規制される。また、図２に示すように、ハウジング３２の取付口１４側が狭められることによって、バイオセンサ１６のＺ方向の動きが規制される。このようにしてバイオセンサ１６が計測表示器１２に取り付けられた状態で、バイオセンサ１６の先端に血液が付着されて血糖値の計測が行われる。
【００２２】
血糖値の計測が終了した後は、計測表示器１２を廃棄用容器の上等で保持した状態で、押し釦２４を押すことにより、図４（ｂ）に示すように、押し釦２４の脚部４０が係止部材２２の爪部４４をスライド部材１８の係合孔４６から下へ押し出す。爪部４４が係合孔４６から押し出されることによりスライド部材１８の規制が解除され、バネ２０の付勢力に従って、バイオセンサ１６及びスライド部材１８が、基板３０及びハウジング３２に沿って、バイオセンサ１６を押し出す方向に摺動する。なお、電極端子５８のバイオセンサ１６に対する押圧力による摩擦力よりもバネ２０の付勢力が大きいことにより、バイオセンサ１６及びスライド部材１８が摺動する。この時、溝４２が押し釦２４の脚部４０に対して摺動し、溝４２の端部が脚部４０に当たることにより、スライド部材１８は図２及び図３に示す位置で停止する。また、溝３８の端部がピン３６に当たることによっても、スライド部材１８は停止する。一方で、このようにしてスライド部材１８が停止する直前に電極端子５８によるバイオセンサ１６への押圧力が解除されるため、バイオセンサ１６は、スライド部材１８による押圧力により取付口１４から飛び出して離脱する。離脱したバイオセンサ１６は廃棄用容器の中等に落下し、回収されて廃棄される。
【００２３】
このようにして、手で押し釦２４を押すことにより、手でバイオセンサ１６に触れることなく、バイオセンサ１６を計測表示器１２から離脱させて廃棄することができる。このため、バイオセンサ１６に付着した血液による感染症を防止でき、安全性を向上させることができる。また、手で押し釦２４を押すことのみによって、バイオセンサ１６を離脱させることができるため、手の不自由な人であっても、容易にバイオセンサ１６を離脱させて廃棄できる。また、外からセンサ着脱構造としては押し釦２４のみ見えるため、外観上も好ましい。
【００２４】
以上、本発明の一実施形態について図面に基づいて説明したが、本発明はその他の態様でも実施できる。例えば、センサ着脱構造１０において、図５に示すように、ハウジング３２の底面５４の中心部に溝６０を備え、この溝６０内をスライド部材１８のガイド３４が通るように構成してもよい。
【００２５】
また、センサ着脱構造１０において、図６に示すように、係止部材（規制手段）２２の代替として、図６に示す係止部材（規制手段）６２であってもよい。この係止部材６２は、バネ６４により上方向の付勢力が付与されることによってスライド部材１８の係合孔４６内に挿入される一方で、押し釦２４によって上から押圧されることにより、係合孔４６から解除されるように構成されている。また、このような係止部材６２を備えるセンサ着脱構造１０において、図７に示すように、ハウジング３２の底面５４の中心部に溝６０を備え、この溝６０内をスライド部材１８のガイド３４が通るように構成してもよい。
【００２６】
以上、本発明の実施形態について図面に基づいて説明したが、本発明は図示したものに限定されない。例えば、本発明のセンサ着脱構造及び計測表示器は、血糖値測定用のバイオセンサを取り付けるものに限定されず、血糖値測定用以外のバイオセンサを取り付けるものであってもよい。また、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２７】
本発明のセンサ着脱構造及び計測表示器によれば、手で押し釦を押すことのみによって、バイオセンサを離脱させることができるため、手の不自由な人であっても、容易にバイオセンサを離脱させて廃棄できる。このため、バイオセンサのためのセンサ着脱構造及び計測表示器として広く利用できる。
【図面の簡単な説明】
【００２８】
【図１】本発明のセンサ着脱構造及び計測表示器を示す図であり、同図（ａ）は平面図であり、同図（ｂ）は側面図である。
【図２】図１のセンサ着脱構造及び計測表示器において、バイオセンサを挿入して取り付けている状態を示すＡ−Ａ線拡大断面図である。
【図３】図１のセンサ着脱構造及び計測表示器において、バイオセンサを挿入して取り付けている状態を示すＢ−Ｂ線拡大断面図である。
【図４】図１のセンサ着脱構造及び計測表示器において、同図（ａ）はバイオセンサを取り付けた状態を示すＡ−Ａ線拡大断面図であり、同図（ｂ）はバイオセンサを離脱させる状態を示すＢ−Ｂ線拡大断面図である。
【図５】本発明のセンサ着脱構造及び計測表示器の他の実施形態を示す図であり、バイオセンサを挿入して取り付けている状態を示す拡大平面断面図である。
【図６】本発明のセンサ着脱構造及び計測表示器の更に他の実施形態を示す図であり、バイオセンサを挿入して取り付けている状態を示す拡大側面断面図である。
【図７】本発明のセンサ着脱構造及び計測表示器の更に他の実施形態を示す図であり、バイオセンサを挿入して取り付けている状態を示す拡大平面断面図である。
【符号の説明】
【００２９】
１０：センサ着脱構造
１２：計測表示器
１４：取付口
１６：バイオセンサ
１８：スライド部材
２０：バネ（付勢手段）
２２、６２：係止部材（規制手段）
２４：押し釦（解除手段）
２６：表示部
２８：本体
３０：基板
３１：孔
３２：ハウジング
３４：ガイド
３６：ピン
３８：溝
４０：脚部
４２：溝
４４：爪部
４６：係合孔
４８：Ｔ形孔
５０：留め具
５２：バネ
５４：底面
５６：センサ電極
５８：電極端子
【図１】
0005079569.tif 000002
【図２】
0005079569.tif 000003
【図３】
0005079569.tif 000004
【図４】
0005079569.tif 000005
【図５】
0005079569.tif 000006
【図６】
0005079569.tif 000007
【図７】
0005079569.tif 000008